(57)【要約】      （修正有）【課題】視界を良好に確保できるマスクをより簡単に作製することを目的とする。【解決手段】フィルタ交換式のマスク１は、折られたフィルタを収容するための内部空間１１が形成されたボディ１１０と、内部空間１１を開閉可能なカバー１２０と、折られたフィルタを支持するために内部空間１１に配置されるアライメント部材とを備える。ボディ１１０、カバー１２０、およびアライメント部材のそれぞれを単純な金型で作製してこれらの部品を組み合わせることでろ過部を得ることができ、マスクをより簡単に作製することができる。加えて、フィルタは折られた状態で収容されるので、ろ過部自体の大きさを抑えることができ、視界を良好に確保できる。【選択図】図３
2018079207.tif 000002
【特許請求の範囲】
【請求項１】
折られたフィルタを収容するための内部空間が形成されたボディと、
前記内部空間を開閉可能なカバーと、
前記折られたフィルタを支持するために前記内部空間に配置されるアライメント部材と
を備えるマスク。
【請求項２】
前記カバーおよび前記アライメント部材のうちの少なくとも一つが、前記ボディに対して移動可能なように前記ボディに連結された、
請求項１に記載のマスク。
【請求項３】
前記カバーおよび前記アライメント部材の双方が、前記ボディに対して移動可能なように前記ボディに連結された、
請求項２に記載のマスク。
【請求項４】
前記カバーが第１ヒンジで前記ボディに連結され、
前記アライメント部材が第２ヒンジで前記ボディに連結された、
請求項３に記載のマスク。
【請求項５】
前記カバーが第１ヒンジで前記ボディに連結された、
請求項２に記載のマスク。
【請求項６】
前記第１ヒンジの軸が、径方向外側に延びる拡張部を備え、
前記軸と係合する前記カバーの鉤部が、該軸を挟んで非対称の形状を有する、
請求項４または５に記載のマスク。
【請求項７】
前記折られたフィルタを通過した空気を装着者へと通すための吸気孔と、前記装着者の呼気を排出するための排気孔とが前記ボディに形成された、
請求項１〜６のいずれか一項に記載のマスク。
【請求項８】
前記アライメント部材が、ろ過されていない空気を前記折られたフィルタに案内する上流路を有し、
前記内部空間が、前記折られたフィルタの第１部分を通過した前記空気を、前記アライメント部材の端部付近を経由させて前記吸気孔へと案内する第１流路と、前記折られたフィルタの第２部分を通過した前記空気を、前記アライメント部材の端部付近を経由させることなく前記吸気孔へと案内する第２流路とを有する、
請求項７に記載のマスク。
【請求項９】
前記内部空間が前記カバーで閉ざされたときに前記ボディの内面と前記カバーの内面との双方に接触するシール部材をさらに備える請求項１〜８のいずれか一項に記載のマスク。
【請求項１０】
フィルタを収容するための内部空間が形成されたボディと、
前記ボディの第１端部に回転可能に連結された、前記内部空間を開閉可能なカバーと、
前記ボディの第２端部に回転可能に連結された、折られた前記フィルタを支持するために前記内部空間に配置されるアライメント部材と
を備えるマスク。
【請求項１１】
前記カバーが第１ヒンジで前記ボディに連結され、
前記アライメント部材が第２ヒンジで前記ボディに連結された、
請求項１０に記載のマスク。
【請求項１２】
前記第１ヒンジの軸が、径方向外側に延びる拡張部を備え、
前記軸と係合する前記カバーの鉤部が、該軸を挟んで非対称の形状を有する、
請求項１１に記載のマスク。
【請求項１３】
前記折られたフィルタを通過した空気を装着者へと通すための吸気孔と、前記装着者の呼気を排出するための排気孔とが前記ボディに形成された、
請求項１０〜１２のいずれか一項に記載のマスク。
【請求項１４】
前記アライメント部材が、ろ過されていない空気を前記折られたフィルタに案内する上流路を有し、
前記内部空間が、前記折られたフィルタの第１部分を通過した前記空気を、前記アライメント部材の端部付近を経由させて前記吸気孔へと案内する第１流路と、前記折られたフィルタの第２部分を通過した前記空気を、前記アライメント部材の端部付近を経由させることなく前記吸気孔へと案内する第２流路とを有する、
請求項１３に記載のマスク。
【請求項１５】
前記内部空間が前記カバーで閉ざされたときに前記ボディの内面と前記カバーの内面との双方に接触するシール部材をさらに備える請求項１０〜１４のいずれか一項に記載のマスク。
【発明の詳細な説明】
【技術分野】
【０００１】
本発明の一側面はマスクに関する。
【背景技術】
【０００２】
フィルタを交換しながら使い続けることができるマスクが従来から知られている。例えば下記特許文献１には、静電フィルタからなるろ過材を交換可能な防じんマスクが記載されている。この防じんマスクは、平面形状がほぼ八角形のろ過部を備える。ろ過部は、面体側に位置する内蓋と、その反対側に位置する外蓋と、これらの蓋により周囲が挟まれた着脱可能なろ過材とからなる。
【０００３】
また、下記特許文献２には、カップ状のろ過部の幅を抑えた防じんマスクが記載されている。
【先行技術文献】
【特許文献】
【０００４】
【特許文献１】特許第２８９６３１３号明細書
【特許文献２】意匠登録第１１３０５６４号公報
【発明の概要】
【発明が解決しようとする課題】
【０００５】
特許文献１に記載されている防じんマスクを装着すると、左右に広がるろ過部が下方の視界を遮るので、装着者の作業を困難にしてしまう可能性がある。特許文献２に記載されている防じんマスクはその点を改善しているが、カップ状のろ過部がカップ状なので、複雑な形の金型を用いて作製する必要があり、製作費が嵩んでしまう可能性がある。そのため、視界を良好に確保できるマスクをより簡単に作製することが望まれている。
【課題を解決するための手段】
【０００６】
本発明の一側面に係るマスクは、折られたフィルタを収容するための内部空間が形成されたボディと、内部空間を開閉可能なカバーと、折られたフィルタを支持するために内部空間に配置されるアライメント部材とを備える。
【０００７】
このような側面においては、ボディ、カバー、およびアライメント部材のそれぞれを単純な金型で作製してこれらの部品を組み合わせることでろ過部を得ることができる。したがって、フィルタを収容するためのろ過部をカップ状などのような複雑な形にする必要がなく、したがって、マスクをより簡単に作製することができる。加えて、フィルタは折られた状態で収容されるので、ろ過部自体の大きさを抑えることができる。以上の理由により、視界を良好に確保できるマスクをより簡単に作製することができる。
【発明の効果】
【０００８】
本発明の一側面によれば、視界を良好に確保できるマスクをより簡単に作製することができる。
【図面の簡単な説明】
【０００９】
【図１】第１実施形態に係るマスクの斜視図である。
【図２】第１実施形態に係るマスクの正面図である。
【図３】第１実施形態に係るマスクの内部を示す図である。
【図４】第１実施形態に係るマスクの内部を示す図である。
【図５】第１実施形態に係るマスクの内部を示す図である。
【図６】第１実施形態に係るマスクの使用方法を示す図である。
【図７】第１実施形態に係るマスクの使用方法を示す図である。
【図８】第１実施形態に係るマスク内の空気の流れを示す断面図である。
【図９】第２実施形態に係るマスクの側面図である。
【図１０】第２実施形態に係るマスクのラッチを示す拡大図である。
【図１１】第２実施形態に係るマスクのラッチを示す拡大図である。
【図１２】第２実施形態に係るマスクの斜視図（後ろ側から見た図）である。
【図１３】第２実施形態に係るマスクのスロットを示す拡大図である。
【図１４】第２実施形態に係るマスクのシール部材を示す図である。
【図１５】変形例に係るマスクの内部を示す図である。
【図１６】別の変形例に係るマスクの内部を示す図である。
【図１７】さらに別の変形例に係るマスクの内部を示す図である。
【図１８】さらに別の変形例に係るマスクの内部を示す図である。
【発明を実施するための形態】
【００１０】
以下、添付図面を参照しながら本発明の実施形態の例を詳細に説明する。なお、図面の説明において同一または同等の要素には同一の符号を付し、重複する説明を省略する。
【００１１】
（第１実施形態）
図１〜図５を参照しながら、第１実施形態に係るマスク１の構造を説明する。図１はマスク１の斜視図であり、図２はマスク１の正面図である。図３〜図５は、マスク１の内部をいくつかの方向から示す図である。
【００１２】
「マスク」は、人の顔の少なくとも一部（特に、人の鼻および口）を覆う部分を備える物品または装置である。マスク１は、装着者が吸い込もうとする空気中の特定物質の少なくとも一部を取り除く機能を有する。本明細書では、空気中の特定物質を取り除くことを「ろ過」ともいう。マスク１が取り除く物質は、このマスク１に取り付けられるフィルタの機能に依存する。例えば、マスク１は空気中の微粒子（微小な固形物または異物）を取り除く機能を有してもよい。微粒子の例として粉塵、埃、および花粉が挙げられるが、マスクはこれら以外の任意の微粒子を取り除いてよい。あるいは、マスクは空気中に含まれる特定のガス（例えば有毒ガスまたは臭気ガス）を取り除く機能を有してもよい。
【００１３】
マスク１はフィルタ交換式であり、したがって、ユーザは、空気を実際にろ過するフィルタを取り替えながらマスク１を使い続けることができる。マスク１は、フィルタを収容するろ過部１０と、このろ過部１０と装着者の顔面との間を塞ぐフェイスシール２０とを備える。装着者が息を吸うと、空気がろ過部１０でろ過されてフェイスシール２０内を通り装着者の鼻または口へと至る。装着者の呼気はフェイスシール２０内を通り、ろ過部１０に形成された排気孔からマスク１の外に排出される。
【００１４】
本実施形態では、ろ過部１０が位置する側をマスク１の「前」といい、フェイスシール２０が位置する側をマスク１の「後ろ」という。また、マスク１の装着時に装着者の頭頂に近くなる側をマスク１の「上」といい、装着者の下半身に近くなる側をマスク１の「下」という。また、マスク１の上下方向および前後方向の双方と直交する方向をマスク１の幅方向という。
【００１５】
フェイスシール２０はたとえば略円筒状であり、装着者の鼻および口を覆うことができる程の寸法を有する。もっとも、フェイスシール２０の形状および寸法を規定する具体的な数値は何ら限定されない。フェイスシール２０は柔軟性を有してもよく、この場合には顔に対するマスク１の密着性を高めることができる。柔軟性を有するフェイスシール２０を実現するために、フェイスシール２０はシリコーンゴムなどの弾性部材で作製されてもよい。もちろん、他の材料によりフェイスシール２０を作製してもよい。
【００１６】
ろ過部１０はたとえば多面及び多角を有する箱形の立体構造を有する（曲面を含んで構成されることを除外しない）。本実施形態では、ろ過部１０は、その外縁がフェイスシール２０の外縁にほぼ沿い（図２を参照）、かつ厚さ（前後方向に沿った長さ）がなるべく小さくなるように設計される。ろ過部１０の形状および寸法をこのように設定する目的の一つは、ろ過部１０が装着者の視界をできるだけ遮らないようにすることである。ただし、ろ過部１０の形状および寸法は本実施形態で具体的に示すものに限定されない。例えば、ろ過部の下方向については、ろ過部１０の外縁がフェイスシール２０の外縁から大きくはみ出ても視界を特に遮らない。ただし、装着者が下方向を向く動作（頷くような動作）をしたときに、ろ過部の外縁が装着者の胸に当たってしまうなどの不都合を防ぐことも考慮する必要がある。ろ過部１０の立体構造の形状も限定されるものではなく、例えば半球状、錐状、または錐台状であってもよい。
【００１７】
空気の流れを確保したりフィルタを確実に保持したりするために、ろ過部１０は一般に硬質である。例えば、ろ過部１０はプラスチックなどの合成樹脂（たとえばポリオレフィン）で作製されてもよい。もちろん、他の材料によりろ過部１０を作製してもよい。
【００１８】
ろ過部１０は、フィルタを収容するための内部空間１１が形成されたボディ１１０と、その内部空間１１を開閉可能なカバー１２０と、フィルタを支持するために内部空間１１に配置されるアライメント部材１３０とを備える。実際には、フィルタは折られた状態でボディ１１０内に収容され、アライメント部材１３０はその折られたフィルタを支持する。「開閉可能」とは、内部空間を、カバー１２０によって覆った状態と覆っていない状態との間で変更可能であることを意味する。「閉」とは必ずしも内部空間が密閉されていることを意味せず、吸気孔や排気孔があっても内部空間がカバー１２０によって覆われていれば、「閉」の状態であるという。「折られたフィルタを支持する」とは、折られたフィルタの姿勢を維持することを意味する。
【００１９】
ボディ１１０はろ過部１０の後ろ側を形成し、カバー１２０はろ過部１０の前側を形成する。本実施形態では、内部空間１１が存在する側をろ過部１０（ボディ１１０またはカバー１２０）の「内側」といい、ろ過部１０（ボディ１１０またはカバー１２０）の外縁を画する側をろ過部１０（ボディ１１０またはカバー１２０）の「外側」という。
【００２０】
カバー１２０は、ボディ１１０に対して移動可能なようにボディ１１０に連結される。アライメント部材１３０も、ボディ１１０に対して移動可能なようにボディ１１０に連結される。ここで、「連結される」とは、二つの構成要素がひと続きになるようにつなぎ合わされた状態を意味する。また、「カバー（またはアライメント部材）がボディに対して移動可能」とは、ボディの位置を固定させたと仮定した場合に、カバー（またはアライメント部材）がボディに近づく方向またはボディから離れる方向に動くことができることを意味する。
【００２１】
本実施形態では、カバー１２０はボディ１１０の上端（第１端部）に第１ヒンジ１４１で回転可能に連結される。アライメント部材１３０はボディ１１０の下端（第２端部）に第２ヒンジ１４２で回転可能に連結される。すなわち、第１端部と反対側の端部が第２端部として設定され、ボディ１１０を挟んでカバー１２０とアライメント部材１３０とが向かい合うようにカバー１２０およびアライメント部材１３０がボディ１１０に連結される。このようにろ過部１０を構成することで、ユーザはあたかも紙を三つ折りにするようにアライメント部材１３０およびカバー１２０をボディ１１０に向けて回転させることでろ過部１０をセットすることができる。「回転可能」とは、「移動可能」の一例である。本実施形態では、第１ヒンジ１４１および第２ヒンジ１４２はいずれも、軸および軸受けで構成されるが、ヒンジの具体的な構造はこれに限定されない。例えばインテグラルヒンジが用いられてもよい。インテグラルヒンジとは、二つの部材間に一体的に形成された薄肉部により構成されるヒンジである。薄肉部の柔軟性を利用して一方の部材を他方の部材に向けて回転させたり、一方の部材を他方の部材から離れる方向に回転させたりすることができる。
【００２２】
ボディ１１０はフェイスシール２０と接続する。ボディ１１０の外形は概ね、ろ過部１０の後面に相当する主面１１１と、主面１１１の周縁に沿って形成される側面１１２とで形成される。主面１１１の上部には、ろ過された空気を装着者へと通すための吸気孔１１３が設けられる。主面１１１の外側において吸気孔１１３の下方には、下に開いたカップ状の排気路１１４が設けられる（図５参照）。排気路１１４の上部には、装着者の呼気を該排気路１１４へと案内する排気孔１１４ａが形成される（図４参照）。主面１１１の内側には、複数の板状突起１１５が点在するように設けられる。主面１１１の内側の下端付近には、フィルタを引っ掛けるための小突起１１６が設けられる。側面１１２の内側には、アライメント部材１３０を支持するための段１１７が形成される。板状突起１１５と段１１７とでフィルタを支え、ろ過された空気の流路（図８で後述する第２流路１６２）を確保する。側面１１２の外側には、後述するカバー１２０を固定するための係合溝１１８ａおよび突起１１８ｂが設けられる。側面１１２の外側にはさらに、マスク１を装着者の頭部に固定するためのストラップを取り付けるためのスロット１１９が設けられる。
【００２３】
ボディ１１０の上端付近には、ボディ１１０の周縁に沿ってシール部材１５０が取り付けられる（図３参照）。このシール部材１５０は、内部空間１１がカバー１２０で閉ざされたときにボディ１１０の内面とカバー１２０の内面との双方に接することで、ろ過部１０の外から中に空気が流れ込むのをより確実に防ぐ。このシール部材１５０はゴムなどの弾性部材で作製されてもよいし、他の材料で作製されてもよい。シール部材１５０は必須の構成要素ではなく、省略可能である。
【００２４】
吸気孔１１３には、ろ過部１０からフェイスシール２０への空気の流れを確保する一方で装着者の呼気がろ過部１０に流れるのを防ぐための吸気弁１５１が取り付けられる。この吸気弁１５１は主面１１１の外側に取り付けられる。排気孔１１４ａには、呼気を排気路１１４へと通過させる一方で外気がフェイスシール２０内に流れるのを防ぐための排気弁１５２が取り付けられる。この排気弁１５２は排気路１１４の内壁に取り付けられる。吸気弁１５１および排気弁１５２はゴムなどの弾性部材で作製されてもよいし、他の材料で作製されてもよい。
【００２５】
排気路１１４を含むボディ１１０の全体は、例えば射出成形により作製される。吸気孔１１３も排気孔１１４ａも、別の部品を取り付けることで設けられるのではなく、ボディ１１０に孔を開けることで形成される。このように吸気孔１１３および排気孔１１４ａをボディ１１０そのものに形成することで、ボディ１１０の組立に要する工数を減らすことができ、ひいてはマスク１をより簡単に作製することが可能になる。
【００２６】
カバー１２０の外形は概ね、ろ過部１０の前面に相当する主面１２１と、主面１２１の周縁に沿って形成される側面１２２とで形成される。主面１２１の内側には、複数の板状突起１２３が点在するように設けられる。側面１２２の内側には、アライメント部材１３０を支持するための段１２４が形成される。さらに、側面１２２の内側には、カバー１２０をボディ１１０に固定するための係合爪１２５ａおよび孔１２５ｂが設けられる。係合爪１２５ａはボディ１１０の係合溝１１８ａに対応し、孔１２５ｂはボディ１１０の突起１１８ｂに対応する。主面１２１の内側の下端付近には、フィルタを引っ掛けるための小突起１２６が設けられる。
【００２７】
アライメント部材１３０は、内部空間１１を画するボディ１１０の内側形状にほぼ対応する外縁を有し、格子状の外観を呈する部品である。アライメント部材１３０は一定の厚みを有し、アライメント部材１３０の下端には開口１３１が形成される（図１および図３参照）。アライメント部材１３０を形成する枠材で囲まれた部分をアライメント部材１３０の内部というとすると、その内部は、開口１３１とつながる空間である。この空間は、開口１３１から入ったろ過されていない空気をフィルタへと案内する上流路として機能する。
【００２８】
次に、図６および図７をさらに参照しながら、マスク１の使用方法を説明する。まず、ユーザはマスク１と、このマスク１用に提供されたフィルタ２００とを用意する。続いて、ユーザはカバー１２０を開け、アライメント部材１３０を回してボディ１１０の外に出す。この操作によりマスク１は図３に示す状態になる。
【００２９】
続いて、ユーザはボディ１１０からカバー１２０にかけてフィルタ２００を置く。この操作によりマスク１は図６に示す状態になる。このとき、ユーザは小突起１１６，１２６を用いてボディ１１０およびカバー１２０にフィルタ２００を掛けることができる。この小突起１１６，１２６によりフィルタ２００のずれが抑えられるので、マスク１にフィルタ２００を取り付けるためのその後の操作が容易になる。フィルタに小突起１１６、１２６に対応する穴が開いていてもよい。
【００３０】
続いて、ユーザはアライメント部材１３０をボディ１１０に向けて回転させることでそのアライメント部材１３０をフィルタ２００上に置く。この操作によりマスク１は図７に示す状態になる。最後にユーザは、係合爪１２５ａが係合溝１１８ａに掛かると共に突起１１８ｂが孔１２５ｂに嵌まるまでカバー１２０をボディ１１０に向けて回転させる。この操作によりカバー１２０が閉まり、マスク１が図１に示す状態になる。
【００３１】
以上の一連の操作により、フィルタ２００の取り付けが完了してマスク１が利用可能になる。互いに連結されたボディ１１０、カバー１２０、およびアライメント部材１３０を一枚の紙で例えるならば、ユーザはあたかもその紙を三つ折りにするようにアライメント部材１３０およびカバー１２０をボディ１１０に向けて回転させることで、マスク１のろ過部１０をセットする。
【００３２】
フィルタ２００は半分に折られた状態でマスク１の内部空間１１内に収容される。折られたフィルタ２００はアライメント部材１３０および複数の板状突起１１５，１２３により支持される。ここで、「折られたフィルタ」とは、フィルタの一部と該フィルタの別の一部とが向かい合うように折り畳まれたフィルタを意味する。言い換えると、「折られたフィルタ」とは、折られたフィルタが成す角度（折り目を挟んで存在する二つの部分が成す角度）が鋭角であることを意味する。
【００３３】
次に、図８を参照しながら、ユーザがマスク１を装着した際のマスク１内の空気の流れを説明する。図８において、実線矢印は装着者が吸い込もうとする空気の流れを示し、破線矢印は装着者の呼気の流れを示す。
【００３４】
空気はアライメント部材１３０の開口１３１からマスク１内に入り、上流路（アライメント部材１３０の内部）を通ってフィルタ２００へと至る。その空気はフィルタ２００を通過することでろ過され、フィルタ２００とカバー１２０との間に形成された第１流路１６１、またはフィルタ２００とボディ１１０との間に形成された第２流路１６２へと至る。本実施形態では、空気を第１流路１６１へと通すフィルタ２００の部分をフィルタの第１部分といい、空気を第２流路１６２へと通すフィルタ２００の部分をフィルタの第２部分という。第１流路１６１（カバー１２０側）に流れた空気は、アライメント部材１３０の端部と第１ヒンジ１４１との間に形成されている流路（シール部材１５０の直ぐ脇にある流路）１６３を通って吸気孔１１３へと至る。一方、第２流路１６２（ボディ１１０側）に流れた空気は、その流路１６３を経由することなく吸気孔１１３へと至る。吸気孔１１３に入った吸気はフェイスシール２０内を通って装着者の鼻または口へと至る。排気弁１５２はボディ１１０の排気路１１４の内壁に取り付けられているので、装着者が呼吸しても排気路１１４内の空気はその排気弁１５２で堰き止められフェイスシール２０内には入らない。
【００３５】
装着者の呼気はフェイスシール２０内を通って排気孔１１４ａへと至り、その後排気路１１４からマスク１の外に（より具体的には装着者の下半身の方向に）排出される。吸気弁１５１はボディ１１０の外側（フェイスシール２０側）に取り付けられているので、呼気はその吸気弁１５１で堰き止められろ過部１０内には入らない。
【００３６】
（第２実施形態）
次に、図９〜図１４を参照しながら、第２実施形態に係るマスク１Ａの構造を説明する。第２実施形態は、第１実施形態のいくつかの部位を変更し、それぞれの変更により更なる効果を奏するものである。図９はマスク１Ａの側面図であり、第１ヒンジの拡大図と、比較として示す第１実施形態での第１ヒンジの拡大図とを含む。図１０および図１１はマスク１Ａのラッチを示す拡大図である。図１２はマスク１Ａの斜視図（後ろ側から見た図）である。図１３はマスク１Ａのスロットを示す拡大図である。図１４はマスク１Ａのシール部材を示す図である。以下では、第１実施形態と異なる構成について説明し、第１実施形態と同じ構成についての説明を省略する。
【００３７】
マスク１Ａのろ過部１０Ａはボディ１１０Ａ、カバー１２０Ａ、およびアライメント部材１３０を備える。カバー１２０Ａはボディ１１０Ａの上端（第１端部）に第１ヒンジ１４１Ａで回転可能に連結される。図９に示すように、第１ヒンジ１４１Ａの軸は、その軸の径方向外側に延びる拡張部１４３を有する。カバー１２０Ａの鉤部１２８Ａ（第１ヒンジ１４１Ａの軸と係合する鉤状の部分）は、カバー１２０Ａの回転軸を挟んで非対称の形状を有する。図９に示すように、第１ヒンジ１４１Ａの軸の周方向に沿って形成される鉤部１２８Ａの開口の角度（例えば約９０度）は、第１実施形態におけるカバー１２０の鉤部１２８の開口の角度（例えば約３０度）よりも大きい。この拡張部１４３および鉤部１２８Ａの形状により、ボディ１１０Ａに対するカバー１２０Ａの移動範囲（回転範囲）を制限する。もし使用者がカバー１２０Ａをその範囲を超えて力をかけてさらに回そうとした場合には、鉤部１２８Ａが拡張部１４３に当たっている状態で鉤部１２８Ａが弾性的に変形し、また、鉤部１２８Ａの開口が大きく確保されているので、カバー１２０Ａが損傷することなくボディ１１０Ａから外れる。図９の例では、カバー１２０Ａの最大回転角度（ボディ１１０Ａの主面とカバー１２０Ａとが成す角度の最大値）が約９０度になるように拡張部１４３が設けられているが、カバー１２０Ａの最大回転角度は（上記のように、拡張部１４３に当たっている状態でボディ１１０Ａから損傷を防ぎつつカバー１２０Ａが外れる角度であれば）任意に設定してよく、これに応じて、拡張部１４３の形状および位置も任意に決めてよい。第１ヒンジに拡張部を設けることで、カバーが必要以上に回されてカバーがボディから外れた際にカバー１２０Ａの鉤部１２８Ａが損傷するのを防ぐことができる。
【００３８】
図１０に示すように、マスク１Ａは、カバー１２０Ａをボディ１１０Ａに、第１実施形態よりもさらにしっかりと固定するための追加の構造としてラッチ１７０を備える。ラッチ１７０は、ボディ１１０Ａの側面の下端付近に設けられる、略Ｔ字状の機械要素である。ラッチ１７０は、ボディ１１０Ａの側面から外に向かって延びる支持部１７１と、支持部１７１の先端から当該側面に沿って上方に延びる作用部１７２と、支持部１７１の先端から当該側面に沿って下方に延びるつまみ１７３とを備える。作用部１７２の先端の内側には爪１７２ａが形成される。カバー１２０Ａの側面には、その爪１７２ａに対応する係合孔１２７が形成される。
【００３９】
カバー１２０Ａが閉じられると、図１１に示すように爪１７２ａが係合孔１２７に嵌まる。このラッチ１７０を導入することで、カバー１２０Ａをよりしっかりと閉めることができる。カバー１２０Ａを開ける際には、使用者はつまみ１７３をボディ１１０Ａに向かって（図１１中の矢印に示す方向に）押すことで爪１７２ａを係合孔１２７から出し、第１ヒンジ１４１Ａを軸にしてカバー１２０Ａを回転させる。
【００４０】
図１２に示すように、マスク１Ａは、装着者の呼気に含まれる水分が垂れるのを防ぐための液受け１８０を備える。液受け１８０の目的は、装着者の手元にある作業対象物（塗装作業や研磨作業などの対象物）に水分が垂れてしまうことを防ぐことである。液受け１８０は、排気路１１４の下端を塞ぐように設けられた受け台１８１を備える。受け台１８１の上面には、水分を吸収するためのマット１８２を配置することができる。受け台１８１の後端部には、置かれたマット１８２が受け台１８１から外れないようにするための止め部１８１ａが設けられる。止め部は突起状のものに限られず、マット１８２を挟み込んで外れないようにする構造であってもよい。本実施形態では液受け１８０はボディ１１０Ａのスロット１１９Ａ（図１３参照）に着脱可能に取り付けられるが、液受け１８０はボディ１１０Ａの他の部位に対して着脱可能であってもよいし、ボディ１１０Ａと一体成形されてもよい。
【００４１】
図１３に示すように、マスク１Ａは、スロット１１９の変形であるスロット１１９Ａを備える。スロット１１９Ａは、内側が開いた略Ｃ字状を呈する。このようなＣ字状のスロット１１９Ａを採用することで、ストラップの先端に取り付けられるバックル１９０を図１３の矢印Ａに示す方向に沿ってスロット１１９Ａに容易に嵌めることができる。すなわち、このスロット１１９Ａを用いることでストラップをマスク１Ａに容易に取り付けることができる。なお、図１３ではストラップを省略している。
【００４２】
図１４に示すように、マスク１Ａは、シール部材１５０の変形であるシール部材１５０Ａを備える。シール部材１５０Ａはシール部材１５０よりも長く、その両端におけるボディ１１０Ａと当接する側はボディ１１０Ａの形状に合わせて段状に形成される。両端の、ボディ１１０Ａと当接する側と反対側は、折り畳まれたフィルタの折り畳み部分に沿うように、曲面に形成される。ボディ１１０Ａの周縁のより広い範囲を網羅しかつ当該周縁の形状およびフィルタの折り畳み部分に従ったシール部材１５０を用いることで、ろ過部１０Ａの外から中に空気が流れ込むのをより確実に防ぐことができる。シール部材１５０Ａは必須の構成要素ではなく、省略可能である。
【００４３】
次に、図１５〜図１８を参照しながら、ボディに対するカバーおよびアライメント部材の連結に関する変形例を示す。この変形例を説明する際には、上記第１実施形態と同じ構成についての説明を省略する。図１５〜図１８に示す変形例は上記第２実施形態にも適用できる。
【００４４】
図１５は変形例に係るマスク１Ｂを示す。マスク１Ｂは、アライメント部材が連結されておらずカバーのみがボディに対して移動可能なようにボディに連結される点でマスク１と異なる。マスク１Ｂのろ過部１０Ｂは、ボディ１１０Ｂ、カバー１２０、およびアライメント部材１３０Ｂを備える。カバー１２０はボディ１１０Ｂの上端（第１端部）に第１ヒンジ１４１で回転可能に連結され、この点はマスク１と同じである。一方、アライメント部材１３０Ｂはボディ１１０Ｂとは連結せず、ボディ１１０Ｂおよびカバー１２０から離れている。マスク１Ｂは第２ヒンジ１４２を備えない。ろ過部１０Ｂ内に収容されるアライメント部材１３０Ｂおよびフィルタは、カバー１２０が閉められるとボディ１１０Ｂとカバー１２０とでしっかりと挟まれるので、マスク１Ｂの使用時に落下しない。
【００４５】
図１６は別の変形例に係るマスク１Ｃを示す。マスク１Ｃは、カバーが連結されておらずアライメント部材のみがボディに対して移動可能なようにボディに連結される点でマスク１と異なる。マスク１Ｃのろ過部１０Ｃは、ボディ１１０Ｃ、カバー１２０Ｃ、およびアライメント部材１３０を備える。アライメント部材１３０はボディ１１０Ｃの下端（第２端部）に第２ヒンジ１４２で回転可能に連結され、この点はマスク１と同じである。一方、カバー１２０Ｃはボディ１１０Ｃとは連結せず、ボディ１１０Ｃおよびアライメント部材１３０から離れている。マスク１Ｃは第１ヒンジ１４１を備えない。カバー１２０Ｃは、係合爪１２５ａが係合溝１１８ａに掛かると共に突起１１８ｂが孔１２５ｂに嵌まることで、ボディ１１０Ｃに固定される。
【００４６】
図１７はさらに別の変形例に係るマスク１Ｄを示す。マスク１Ｄは、カバーおよびアライメント部材の双方がボディの同じ側の一端に連結される点でマスク１と異なる。マスク１Ｄのろ過部１０Ｄは、ボディ１１０Ｄ、カバー１２０Ｄ、およびアライメント部材１３０を備える。カバー１２０Ｄおよびアライメント部材１３０のいずれも、ボディ１１０Ｄの下端（第２端部）に第２ヒンジ１４２で回転可能に連結される。マスク１Ｄは第１ヒンジ１４１を備えない。マスク１Ｄを用いる際には、ユーザはまず、カバー１２０Ｄを開け、アライメント部材１３０をボディ１１０Ｄから離れる方向に回す。続いて、ユーザはフィルタをボディ１１０Ｄ上に置き、アライメント部材１３０をボディ１１０Ｄに向けて回すことでフィルタ上に置く。続いて、ユーザはアライメント部材１３０の上端付近でフィルタを折ってアライメント部材１３０を該フィルタで挟み、最後にカバー１２０Ｄを閉じる。この一連の操作によりマスク１Ｄが利用可能になる。
【００４７】
図１８は、さらに別の変形例に係るマスク１Ｅを示す。この図に示すように、カバーおよびアライメント部材の双方がボディに連結しなくてもよい。マスク１Ｅのろ過部１０Ｅは、ボディ１１０Ｅ、カバー１２０Ｅ、およびアライメント部材１３０Ｅを備える。マスク１Ｅは第１ヒンジ１４１および第２ヒンジ１４２の双方を備えない。カバー１２０Ｅは、係合爪１２５ａが係合溝１１８ａに掛かると共に突起１１８ｂが孔１２５ｂに嵌まることで、ボディ１１０Ｅに固定される。ろ過部１０Ｅ内に収容されるアライメント部材１３０Ｅおよびフィルタは、カバー１２０Ｅが閉められるとボディ１１０Ｅとカバー１２０Ｅとでしっかりと挟まれるので、マスク１Ｅの使用時に落下しない。
【００４８】
以上説明したように、本発明の一側面に係るマスクは、折られたフィルタを収容するための内部空間が形成されたボディと、内部空間を開閉可能なカバーと、折られたフィルタを支持するために内部空間に配置されるアライメント部材とを備える。
【００４９】
このような側面においては、ボディ、カバー、およびアライメント部材のそれぞれを単純な金型で作製してこれらの部品を組み合わせることでろ過部を得ることができる。したがって、フィルタを収容するためのろ過部をカップ状などのような複雑な形にする必要がなく、したがって、マスクをより簡単に作製することができる。加えて、フィルタは折られた状態で収容されるので、ろ過部自体の大きさを抑えることができる。以上の理由により、視界を良好に確保できるマスクをより簡単に作製することができる。
【００５０】
他の側面に係るマスクでは、カバーおよびアライメント部材のうちの少なくとも一つが、ボディに対して移動可能なようにボディに連結されてもよい。カバーおよびアライメント部材はいずれもフィルタに接する構成要素なので、これら二つの部材のうち少なくとも一つをボディに連結させることで、マスクに対するフィルタの位置決めが容易になる。
【００５１】
他の側面に係るマスクでは、カバーおよびアライメント部材の双方が、ボディに対して移動可能なようにボディに連結されてもよい。カバーおよびアライメント部材はいずれもフィルタに接する構成要素なので、これら二つの部材をボディに連結させることで、マスクに対するフィルタの位置決めが容易になり、それら二つの部材を落とす心配がなくなる。
【００５２】
他の側面に係るマスクでは、カバーが第１ヒンジでボディに連結され、アライメント部材が第２ヒンジでボディに連結されてもよい。簡単な仕組みであるヒンジを用いることで、カバーおよびアライメント部材を回転可能にボディに連結させることができる。カバーおよびアライメント部材がボディに対して回転可能であることは、マスクの操作性を向上させると共にマスク（特にろ過部）の大きさを抑制することを可能にする。
【００５３】
他の側面に係るマスクでは、カバーが第１ヒンジでボディに連結されてもよい。簡単な仕組みであるヒンジを用いることで、カバーを回転可能にボディに連結させることができる。カバーがボディに対して回転可能であることは、マスクの操作性を向上させると共にマスク（特にろ過部）の大きさを抑制することを可能にする。
【００５４】
他の側面に係るマスクでは、第１ヒンジの軸が、径方向外側に延びる拡張部を備え、軸と係合するカバーの鉤部が、該軸を挟んで非対称の形状を有してもよい。このようにヒンジの軸およびカバーの鉤部を形成することで、使用者がカバーを無理に回した場合でもカバー（特に鉤部）が損傷することなくボディから外れるようにすることができる。
【００５５】
他の側面に係るマスクでは、折られたフィルタを通過した空気を装着者へと通すための吸気孔と、装着者の呼気を排出するための排気孔とがボディに形成されてもよい。吸気孔および排気孔をボディそのものに直接形成することで、ろ過部をより簡単に作製することが可能になる。
【００５６】
他の側面に係るマスクでは、アライメント部材が、ろ過されていない空気を折られたフィルタに案内する上流路を有し、内部空間が、折られたフィルタの第１部分を通過した空気を、アライメント部材の端部付近を経由させて吸気孔へと案内する第１流路と、折られたフィルタの第２部分を通過した空気を、アライメント部材の端部付近を経由させることなく吸気孔へと案内する第２流路とを有してもよい。このように流路を形成することで、ろ過部自体の大きさを抑えつつ、フィルタを有効に用いて、呼吸に必要かつ十分な量の空気を装着者に提供することができる。
【００５７】
他の側面に係るマスクは、内部空間がカバーで閉ざされたときにボディの内面とカバーの内面との双方に接触するシール部材をさらに備えてもよい。このシール部材によりボディの内面とカバーの内面との間が塞がるので、外気がフィルタを経由することなく直接に内部空間に入ることをより確実に防ぐことができる。
【００５８】
他の側面に係るマスクは、フィルタを収容するための内部空間が形成されたボディと、ボディの第１端部に回転可能に連結された、内部空間を開閉可能なカバーと、ボディの第２端部に回転可能に連結された、折られたフィルタを支持するために内部空間に配置されるアライメント部材とを備える。
【００５９】
このような側面においては、ボディ、カバー、およびアライメント部材のそれぞれを単純な金型で作製してこれらの部品を組み合わせることでろ過部を得ることができる。したがって、フィルタを収容するためのろ過部をカップ状などのような複雑な形にする必要がなく、したがって、マスクをより簡単に作製することができる。加えて、フィルタは折られた状態で収容されるので、ろ過部自体の大きさを抑えることができる。以上の理由により、視界を良好に確保できるマスクをより簡単に作製することができる。また、簡単な仕組みであるヒンジを用いてカバーおよびアライメント部材を回転可能にボディに連結させることで、マスクの操作性の向上とマスク（特にろ過部）の大きさの抑制とを実現することができる。さらに、フィルタは折られた状態で固定されて準備されている必要はなく（たとえば、フィルタを工場で折って接着剤、テープ、またはステープラで固定しておく必要はなく）、使用者はボディとカバーとの間にフィルタを取り付ける際にアライメント部材に沿ってフィルタを折り畳めばよい。したがって、フィルタの製造コストや価格を下げることもできる。
【００６０】
以上、本発明をその実施形態およびいくつかの変形例に基づいて詳細に説明した。しかし、本発明はこれらの態様に限定されるものではない。例えば第２実施形態のさらなる変形であってもよい。また、第１実施形態と第２実施形態とで相違する構成のうち、いくつかの構成だけが採用された態様であってもよい。本発明は、その要旨を逸脱しない範囲でさらなる様々な変形が可能である。
【００６１】
上記のいくつかの例ではカバーまたはアライメント部材をボディの上端または下端に連結させたが、ボディの左端または右端にカバーまたはアライメント部材を連結させてもよい。
【００６２】
上記のいくつかの例ではヒンジを用いたが、カバーまたはアライメント部材を回転可能にボディに連結させるためにヒンジ以外の仕組みを用いてもよい。例えば、ボディとカバーまたはアライメント部材とを柔軟なシート（例えばゴム製のシート）で連結させてもよい。この例はインテグラルヒンジに近い構造といえる。
【００６３】
上記のいくつかの例では、カバーおよびアライメント部材のうちの少なくとも一方を回転可能にボディに連結させたが、カバーおよびアライメント部材の少なくとも一方が回転以外の態様でボディに対して移動可能であってもよい。例えば、カバーおよびアライメント部材の少なくとも一方は、ボディに対してスライド可能なようにボディに連結されてもよい。
【００６４】
上記の例では吸気孔および排気孔をボディに直接形成したが、ボディとは別の部品で吸気孔または排気孔を作製し、その吸気孔または排気孔をボディに取り付けることで空気の流路を作ってもよい。
【００６５】
上記の例ではフィルタを二つ折りにしてマスクに取り付ける態様を示したが、フィルタをマスクに取り付ける際のフィルタの折り方は何ら限定されない。これに応じて、マスク内の空気の流路は図８に示すものに限定されない。
【符号の説明】
【００６６】
１，１Ａ，１Ｂ，１Ｃ，１Ｄ，１Ｅ…マスク、１０，１０Ａ，１０Ｂ，１０Ｃ，１０Ｄ，１０Ｅ…ろ過部、２０…フェイスシール、１１…内部空間、１１０，１１０Ａ，１１０Ｂ，１１０Ｃ，１１０Ｄ，１１０Ｅ…ボディ、１２０，１２０Ａ，１２０Ｃ，１２０Ｄ，１２０Ｅ…カバー、１３０，１３０Ｂ，１３０Ｅ…アライメント部材、１４１，１４１Ａ…第１ヒンジ、１４２…第２ヒンジ、１１３…吸気孔、１１４…排気路、１１４ａ…排気孔、１５０，１５０Ａ…シール部材、１７０…ラッチ、１８０…液受け、２００…フィルタ、１６１…第１流路、１６２…第２流路、１６３…アライメント部材の端部付近の流路。
【図１】
2018079207.tif 000003
【図２】
2018079207.tif 000004
【図３】
2018079207.tif 000005
【図４】
2018079207.tif 000006
【図５】
2018079207.tif 000007
【図６】
2018079207.tif 000008
【図７】
2018079207.tif 000009
【図８】
2018079207.tif 000010
【図９】
2018079207.tif 000011
【図１０】
2018079207.tif 000012
【図１１】
2018079207.tif 000013
【図１２】
2018079207.tif 000014
【図１３】
2018079207.tif 000015
【図１４】
2018079207.tif 000016
【図１５】
2018079207.tif 000017
【図１６】
2018079207.tif 000018
【図１７】
2018079207.tif 000019
【図１８】
2018079207.tif 000020